(57)【特許請求の範囲】
【請求項１】
映像・音声コンテンツを制作する際の素材となる映像・音声データである素材コンテンツのＩＤもしくは１つ以上の前記素材コンテンツを組み合わせて編集することにより制作される完成コンテンツのＩＤと、前記素材コンテンツもしくは前記完成コンテンツの内容に基づいた説明情報であるメタデータとを対応付けて格納するメタデータＤＢ部を有するメタデータ管理サーバと、
前記完成コンテンツの前記メタデータを編集する編集ＧＵＩ部と、前記完成コンテンツが前記素材コンテンツをどのように組み合わせて制作されたのかを表す編集情報を解析する編集情報解析部とを有するメタデータ編集端末とを有するメタデータ編集システムであって、
前記メタデータ編集端末は、前記編集情報解析部によって前記完成コンテンツについての前記編集情報を解析した結果をもとに、前記編集ＧＵＩ部によって前記完成コンテンツの前記メタデータから前記完成コンテンツを構成する前記素材コンテンツの前記メタデータとその確かさを表す確度とを生成し、
前記メタデータ管理サーバは、前記メタデータ編集端末の前記編集ＧＵＩ部によって生成された前記素材コンテンツの前記メタデータとそれに対する前記確度とを対応付けて前記メタデータＤＢ部に格納することを特徴とするメタデータ編集システム。
【請求項２】
請求項１記載のメタデータ編集システムにおいて、
前記メタデータ編集端末の前記編集ＧＵＩ部は、前記編集情報解析部によって前記完成コンテンツについての前記編集情報を解析した結果をもとに、処理対象の時間区間において、前記完成コンテンツを構成する前記素材コンテンツが前記完成コンテンツ中に使用されている割合を表す占有率を算出し、
前記時間区間において、前記完成コンテンツに付与されている前記メタデータを前記完成コンテンツを構成する前記素材コンテンツの前記メタデータとしてコピーするとともに、前記素材コンテンツについて算出した前記占有率を、コピーした前記メタデータに対する前記確度とすることを特徴とするメタデータ編集システム。
【請求項３】
請求項１記載のメタデータ編集システムにおいて、
前記メタデータ編集端末の前記編集ＧＵＩ部は、前記完成コンテンツを構成する前記素材コンテンツの前記メタデータとそれに対する前記確度とを前記メタデータ管理サーバから取得し、ユーザにより指定された時間区間において、前記メタデータ管理サーバから取得した前記素材コンテンツの前記メタデータを、前記完成コンテンツの前記メタデータとしてコピーする転記機能を有し、
前記時間区間において、前記完成コンテンツの前記メタデータが前記完成コンテンツを構成する前記素材コンテンツの前記メタデータから前記転記機能により入力された場合に、前記素材コンテンツの前記メタデータに対する前記確度を１００％とすることを特徴とするメタデータ編集システム。
【請求項４】
請求項１記載のメタデータ編集システムにおいて、
前記メタデータ編集端末の前記編集ＧＵＩ部は、前記完成コンテンツの前記メタデータを前記メタデータ管理サーバから取得し、前記完成コンテンツにおいて、ユーザにより指定された第１の時間区間の前記メタデータを、ユーザにより指定された第２の時間区間の前記メタデータとしてコピーする転記機能を有し、
前記完成コンテンツにおいて、前記第２の時間区間の前記メタデータが前記第１の時間区間の前記メタデータから前記転記機能により入力された場合に、前記第１の時間区間における前記完成コンテンツを構成する前記素材コンテンツと、前記第２の時間区間における前記完成コンテンツを構成する前記素材コンテンツとで、重複する前記素材コンテンツが１つのみである場合は、前記第１の時間区間と前記第２の時間区間において、重複する前記素材コンテンツの前記メタデータに対する前記確度を１００％とすることを特徴とするメタデータ編集システム。
【請求項５】
映像・音声コンテンツを制作する際の素材となる映像・音声データである素材コンテンツのＩＤもしくは１つ以上の前記素材コンテンツを組み合わせて編集することにより制作される完成コンテンツのＩＤと、前記素材コンテンツもしくは前記完成コンテンツの内容に基づいた説明情報であるメタデータとを対応付けて格納するメタデータＤＢ部と、
前記完成コンテンツの前記メタデータを編集する編集ＧＵＩ部と、
前記完成コンテンツが前記素材コンテンツをどのように組み合わせて制作されたのかを表す編集情報を解析する編集情報解析部とを有するメタデータ編集システムであって、
前記編集情報解析部によって前記完成コンテンツについての前記編集情報を解析した結果をもとに、前記編集ＧＵＩ部によって前記完成コンテンツの前記メタデータから前記完成コンテンツを構成する前記素材コンテンツの前記メタデータとその確かさを表す確度とを生成し、
前記編集ＧＵＩ部によって生成された前記素材コンテンツの前記メタデータとそれに対する前記確度とを対応付けて前記メタデータＤＢ部に格納することを特徴とするメタデータ編集システム。
【請求項６】
コンピュータを、コンテンツのメタデータを編集するためのメタデータ編集システムとして機能させるメタデータ編集プログラムであって、
映像・音声コンテンツを制作する際の素材となる映像・音声データである素材コンテンツのＩＤもしくは１つ以上の前記素材コンテンツを組み合わせて編集することにより制作される完成コンテンツのＩＤと、前記素材コンテンツもしくは前記完成コンテンツの内容に基づいた説明情報であるメタデータとを対応付けてデータベースに格納し、
前記完成コンテンツが前記素材コンテンツをどのように組み合わせて制作されたのかを表す編集情報を解析し、
前記完成コンテンツについての前記編集情報の解析結果をもとに、前記完成コンテンツの前記メタデータから、前記完成コンテンツを構成する前記素材コンテンツの前記メタデータと、その確かさを表す確度とを生成し、
生成された前記素材コンテンツの前記メタデータとそれに対する前記確度とを対応付けて前記データベースに格納することを特徴とするメタデータ編集プログラム。
【請求項７】
コンピュータによりコンテンツのメタデータを編集するためのメタデータ編集方法であって、
前記コンピュータは、映像・音声コンテンツを制作する際の素材となる映像・音声データである素材コンテンツのＩＤもしくは１つ以上の前記素材コンテンツを組み合わせて編集することにより制作される完成コンテンツのＩＤと、前記素材コンテンツもしくは前記完成コンテンツの内容に基づいた説明情報であるメタデータとを対応付けてデータベースに格納し、
前記完成コンテンツが前記素材コンテンツをどのように組み合わせて制作されたのかを表す編集情報を解析し、
前記完成コンテンツについての前記編集情報の解析結果をもとに、前記完成コンテンツの前記メタデータから、前記完成コンテンツを構成する前記素材コンテンツの前記メタデータと、その確かさを表す確度とを生成し、
生成された前記素材コンテンツの前記メタデータとそれに対する前記確度とを対応付けて前記データベースに格納することを特徴とするメタデータ編集方法。
【発明の詳細な説明】
【技術分野】
【０００１】
本発明は、コンテンツのメタデータを編集するメタデータ編集システムおよびメタデータ編集プログラムならびにメタデータ編集方法に関し、素材コンテンツにメタデータを付与するメタデータ編集システムおよびメタデータ編集プログラムならびにメタデータ編集方法に適用して有効な技術に関する。
【背景技術】
【０００２】
放送局や制作プロダクションなどの企業において、映像・音声コンテンツを制作する際には、最初に素材となる映像・音声が集められる。この素材となる映像・音声データを、以下では素材コンテンツと呼ぶ。これに対し、放送局や制作プロダクションが制作しようとする番組などのコンテンツを、以下では完成コンテンツと呼ぶ。完成コンテンツは、１つ以上の素材コンテンツを組み合わせ、効果を入れたりすること、すなわち編集することにより作成される。
【０００３】
作成された完成コンテンツは、放送されたり、別の配信プロバイダで利用されたりした後は、アーカイブシステムに保存されることになる。アーカイブシステムに保存するコンテンツの量は膨大であるため、保存する際はデータベースシステムにおいて、コンテンツのＩＤと説明情報とを対応付けて登録をする。これにより、コンテンツの取り出し時に検索を可能にする。
【０００４】
この説明情報には、コンテンツのタイトルの他、制作日時や制作者の名前などが付与されるのが一般的である。しかし、さらに一歩進んで、高度な検索を実行可能とするために、映像・音声をある程度細かい時間区間に分割し、その一つ一つに対して映像や音声のコンテンツの内容に基づいた説明情報を入れることもある。この説明情報となるテキストデータを、以下ではメタデータと呼ぶ。メタデータには、例えば、その時間区間に映像に写っている俳優の名前であるとか、景色の様子などが記載されることが考えられる。
【０００５】
コンテンツにメタデータを付与したり、付与されたメタデータを編集したりする技術としては種々のものが提案されており、例えば、特開２００６−３２５０４７号公報（特許文献１）や、特開２００４−３４８５５３号公報（特許文献２）のような技術が提案されている。
【特許文献１】特開２００６−３２５０４７号公報
【特許文献２】特開２００４−３４８５５３号公報
【発明の開示】
【発明が解決しようとする課題】
【０００６】
しかしながら、素材コンテンツは完成コンテンツの１０倍以上の容量があると言われており、メタデータを付与する作業負荷の問題から、実際には完成コンテンツにのみメタデータが付与され、素材コンテンツにメタデータが付与されることはほとんどない。
【０００７】
上述したように、完成コンテンツは、素材コンテンツを編集の材料として用いることによって作られる。編集作業者は、膨大な素材コンテンツから完成コンテンツの作成に最適な素材コンテンツを選択して編集を行うが、このとき、既存の素材コンテンツが再利用されることもある。しかし、素材コンテンツにメタデータが付与されていないことから、素材コンテンツの取り出し時にデータベースシステムによる検索を有効に利用することができず、作業効率が悪いという課題がある。
【０００８】
そこで本発明の目的は、素材コンテンツに対してメタデータを入力する手間をできるだけ少なくするメタデータ編集システムおよびメタデータ編集プログラムならびにメタデータ編集方法を提供することにある。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次のとおりである。
【００１１】
本発明の代表的な実施の形態によるメタデータ編集システムは、完成コンテンツが１つ以上の素材コンテンツをどのように編集して作られているかを表す編集情報をもとに、完成コンテンツのメタデータから素材コンテンツのメタデータおよびそのメタデータの確かさを表す確度を生成することを特徴とするものである。
【発明の効果】
【００１２】
本願において開示される発明のうち、代表的なものによって得られる効果を簡単に説明すれば以下のとおりである。
【００１３】
本発明の代表的な実施の形態によれば、素材コンテンツにメタデータを付与する作業を行わなくても、素材コンテンツのメタデータを生成することができるため、素材コンテンツを検索する際にデータベースシステムによる検索を利用することが可能となる。また、メタデータが付与された素材コンテンツをもとに別の完成コンテンツを作成する際に、完成コンテンツにメタデータを付与する手間を省くことができる。これらにより、コンテンツの編集作業の効率を上げることができる。
【発明を実施するための最良の形態】
【００１４】
以下、本発明の実施の形態を図面に基づいて詳細に説明する。なお、実施の形態を説明するための全図において、同一部には原則として同一の符号を付し、その繰り返しの説明は省略する。
【００１５】
＜概要＞
本発明の一実施の形態であるメタデータ編集システムは、作成された完成コンテンツに対して作業者がメタデータを入力する環境において、素材コンテンツに対してメタデータを付与する作業を行わなくても、完成コンテンツに付与されたメタデータを利用して、自動的に素材コンテンツのメタデータを生成するシステムである。
【００１６】
本実施の形態のメタデータ編集システムは、完成コンテンツのメタデータと素材コンテンツのメタデータとを保持するメタデータ管理サーバと、コンテンツに対してメタデータを付与するためのメタデータ編集端末から構成される。作業者は、基本的に完成コンテンツに対してメタデータの付与を行う。この完成コンテンツに付与されたメタデータを利用して、メタデータ編集端末が、自動的に完成コンテンツを構成する素材コンテンツのメタデータを生成する。
【００１７】
完成コンテンツから素材コンテンツのメタデータを自動的に生成する方法として、ＥＤＬ（Edit Decision List）を利用する。ＥＤＬには、素材コンテンツをどのように組み合わせて完成コンテンツを生成したかの情報が含まれている。これをもとに、ある時間区間において、各素材コンテンツが何％ずつ完成コンテンツ中において使用されているかを算出し、それをもとに確度を求める。メタデータ管理サーバには、その確度とともに、素材コンテンツのメタデータを登録する。
【００１８】
また、メタデータ編集端末では、作業者が、既に作成されている素材コンテンツのメタデータをＧＵＩ（Graphical User Interface）上で転記することにより、完成コンテンツのメタデータとして入力することができる。この場合、その時点で当該素材コンテンツの確度が１００％ではなかったとしても、作業者が完成コンテンツのメタデータとして転記したということから、完成コンテンツには当該メタデータで表される内容が表示されていることになる。そこで、当該素材コンテンツのメタデータは正しかったと判断し、当該素材コンテンツのメタデータの確度を１００％に確定する。
【００１９】
また、メタデータ編集端末では、作業者が、既に入力した完成コンテンツのある時間区間のメタデータを、ＧＵＩ上で別の時間区間に転記して、完成コンテンツのメタデータとして入力することができる。この場合、転記先の時間区間では、転記元の時間区間と同じ内容が表示されていたと想定される。仮に、転記元の時間区間における完成コンテンツを構成する素材コンテンツのメタデータの確度が１００％でない場合でも、転記先の時間区間における完成コンテンツを構成する素材コンテンツと重複する素材コンテンツが１つのみである場合には、当該素材コンテンツのメタデータは正しかったと判断し、当該素材コンテンツのメタデータの確度を１００％に確定する。
【００２０】
＜実施の形態＞
以下に、本発明の一実施の形態であるメタデータ編集システムについて説明する。図１は、本実施の形態のメタデータ編集システムの構成例を示した図である。メタデータ編集システムは、メタデータ管理サーバ１００、メタデータ編集端末２００を有し、これらがネットワーク３００で接続される構成となっている。メタデータ編集端末２００を複数台有する構成であっても良い。
【００２１】
作業者は、メタデータ編集端末２００を用いて、完成コンテンツを再生して内容を確認しながら、完成コンテンツのメタデータの入力を行う。入力されたメタデータはメタデータ管理サーバ１００に登録される。その際に、メタデータ編集端末２００では、完成コンテンツが素材コンテンツをどのように組み合わせて制作されたのかを表す編集情報であるＥＤＬを用いるなどして、完成コンテンツを構成する素材コンテンツのメタデータを生成し、メタデータ管理サーバ１００に登録する。これにより、素材コンテンツに対して付与されたメタデータが格納される。
【００２２】
メタデータ管理サーバ１００は、メタデータ更新部１１０、メタデータ検索部１２０、
メタデータＤＢ部１３０を有し、完成コンテンツおよび素材コンテンツのメタデータを管理するコンピュータである。メタデータ更新部１１０、メタデータ検索部１２０の機能は、ソフトウェアにより実現される。
【００２３】
メタデータＤＢ部１３０は、完成コンテンツおよび素材コンテンツを一意に特定するＩＤと、これらコンテンツの説明情報であるメタデータとを対応付けて管理するデータベースである。メタデータ検索部１２０は、キーワードとなるテキストをもとにメタデータＤＢ部１３０に対して検索を実行し、そのキーワードを含むメタデータとそれに対応する完成コンテンツおよび素材コンテンツのＩＤを取得する。メタデータ更新部１１０は、外部からメタデータを更新する指示を受けて、メタデータＤＢ部１３０を更新する。
【００２４】
メタデータ編集端末２００を用いて完成コンテンツや素材コンテンツのキーワードによる検索を実行する場合は、メタデータ検索部１２０がメタデータＤＢ部１３０に対して検索を実行する。また、メタデータ編集端末２００を用いて完成コンテンツのメタデータを更新する場合も、現状のメタデータを取得するために、メタデータ検索部１２０がメタデータＤＢ部１３０に対して検索を実行する。メタデータ編集端末２００が完成コンテンツのメタデータを編集し、修正されたメタデータを格納する場合は、メタデータ更新部１１０がメタデータ編集端末２００からの指示を受けて、メタデータＤＢ部１３０を更新する。
【００２５】
メタデータ編集端末２００は、編集ＧＵＩ部２１０、コンテンツ再生部２２０、編集情報解析部２３０、メタデータ取得依頼部２４０、メタデータ登録依頼部２５０、ストレージ部２６０を有し、コンテンツに関連するメタデータを付与する機能を有するコンピュータである。編集ＧＵＩ部２１０、コンテンツ再生部２２０、編集情報解析部２３０、メタデータ取得依頼部２４０、メタデータ登録依頼部２５０の機能は、ソフトウェアにより実現される。
【００２６】
編集ＧＵＩ部２１０は、素材コンテンツおよび完成コンテンツのメタデータを編集するためのＧＵＩである。この編集ＧＵＩ部２１０によって、作業者が完成コンテンツの内容を見ながらメタデータとなるテキスト情報を入力することが可能である。また、完成コンテンツに付与されたメタデータをもとに、完成コンテンツを構成する素材コンテンツのメタデータを自動的に生成して付与する処理も行う。なお、素材コンテンツのメタデータを編集することも可能であるが、前述のように素材コンテンツのメタデータを編集により直接入力することはほとんど行われない。
【００２７】
コンテンツ再生部２２０は、完成コンテンツのデータをメタデータ編集端末２００の画面上に表示できるビットマップに変換し、編集ＧＵＩ部２１０のＧＵＩ上に表示する処理を行う。完成コンテンツは、メタデータ編集端末２００の内部では、例えばＭＰＥＧ（Moving Picture Experts Group）などの圧縮形式で保存される。コンテンツ再生部２２０はＭＰＥＧデータを伸長する機能を有するが、これは一般的な技術である。コンテンツ再生部２２０の処理により、作業者は、編集ＧＵＩ部２１０を利用してメタデータの入力を行う際に、同じ画面上で映像の内容を確認することが可能となる。
【００２８】
編集情報解析部２３０は、完成コンテンツの編集情報であるＥＤＬを解析する処理を行う。ＥＤＬおよびこれを解析する技術は一般的な技術である。編集情報解析部２３０が解析して取得したデータは、作業者が入力した完成コンテンツのメタデータをもとに、素材コンテンツのメタデータを生成する際に使用される。この処理の内容については後述する。
【００２９】
メタデータ取得依頼部２４０は、ある完成コンテンツに対応した形でメタデータ管理サーバ１００に登録されているメタデータを、メタデータ管理サーバ１００に依頼して取得する。取得の依頼は、ネットワーク３００を介してメタデータ管理サーバ１００に渡されるので、メタデータ取得依頼部２４０は、これをネットワーク３００上に流せる形式のメッセージデータに変換する処理を行う。取得したメタデータは、編集ＧＵＩ部２１０に渡され、現状のメタデータの登録状況として作業者に対して表示される。作業者は、これに対して、メタデータの修正を行うことができる。
【００３０】
メタデータ登録依頼部２５０は、編集ＧＵＩ部２１０を用いて作業者が作成したメタデータをメタデータ管理サーバ１００へ依頼して登録する。また、編集ＧＵＩ部２１０が自動的に生成した素材コンテンツのメタデータをメタデータ管理サーバ１００に依頼して登録する処理も行う。登録の依頼は、ネットワーク３００を介してメタデータ管理サーバ１００に渡されるので、メタデータ登録依頼部２５０は、これをネットワーク３００上に流せる形式のメッセージデータに変換する処理を行う。
【００３１】
ストレージ部２６０は、完成コンテンツやＥＤＬを格納する。コンテンツ再生部２２０は、ストレージ部２６０に格納されている完成コンテンツを読み出し、伸長して表示することができる。また、編集情報解析部２３０は、ストレージ部２６０に格納されているＥＤＬを読み出し、解析することができる。
【００３２】
メタデータ編集端末２００は、上述した構成により、作業者がメタデータ管理サーバ１００から完成コンテンツの現状のメタデータの登録情報を取得し、完成コンテンツを再生して内容を参照しながら、メタデータを編集することを可能にする。また、作業者によって付与された完成コンテンツのメタデータとＥＤＬの情報とをもとに、自動的に素材コンテンツのメタデータを生成し、メタデータ管理サーバ１００に登録することを可能にする。
【００３３】
図２は、メタデータＤＢ部１３０のデータ構造とデータの例を示した図である。全体としては、登録されているコンテンツごとにデータを分けて管理しており、図２の例では、素材コンテンツＡ、素材コンテンツＢ、完成コンテンツＣのデータが示されている。
【００３４】
各コンテンツは論理的に短い時間区間に分割され、それぞれにメタデータが付与される。例えば、図２の素材コンテンツＡでは、開始時刻１３１と終了時刻１３２のカラムに格納されているデータにより、１０時１０分００秒〜１０時１０分３０秒の区間と、１０時１０分３０秒〜１０時１１分００秒の区間が定義され、それぞれのメタデータ１３３のカラムにメタデータが格納されている。メタデータ１３３のカラムには、各時間区間について複数のメタデータを格納することが可能である。図２の例では、１０時１０分００秒〜１０時１０分３０秒の区間に「富士山」というメタデータと「景色」というメタデータが付与されていることを示している。
【００３５】
確度１３４のカラムに格納されているデータは、該当のメタデータが対象のコンテンツを表すものとして正しいであろう確かさを表す数字である。図２の例では、素材コンテンツＡの１０時１０分００秒〜１０時１０分３０秒の区間のメタデータが「富士山」である確度は５０％、「景色」である確度は８０％であることを示している。
【００３６】
作業者１３５、入力日時１３６のカラムに格納されているデータは、それぞれ該当のメタデータを入力した作業者の名前と入力した日時を示している。素材コンテンツＢ、完成コンテンツＣについても上記と同様のデータ構造となっている。
【００３７】
上述したように、メタデータＤＢ部１３０に格納されている各メタデータには、確度が付与されている。この確度はメタデータ編集端末２００によって算出され、メタデータＤＢ部１３０はその確度をメタデータに対応付けした形で保持する役割を有している。メタデータＤＢ部１３０の確度１３４の値は、メタデータ編集端末２００からの指示により、メタデータ１３３の内容とともに追加・更新される。なお、完成コンテンツについてのメタデータの確度１３４の値は１００％とする。
【００３８】
図３は、メタデータ編集端末２００上の編集ＧＵＩ部２１０の画面構成例を示した図である。映像表示部３１０は、コンテンツ再生部２２０によって伸長された完成コンテンツの映像を表示する部分である。再生ボタン３２０、停止ボタン３３０は、映像表示部３１０における映像表示を制御するためのボタンである。映像表示部３１０、および再生ボタン３２０、停止ボタン３３０等によって映像表示を制御する技術は一般的なものである。映像表示部３１０内の枠３１１については後述する。
【００３９】
タイムライン表示部３４０は、完成コンテンツを構成する素材コンテンツがどのように組み合わされているかを示す部分である。完成コンテンツが素材コンテンツを時間的・空間的にどのように組み合わせて作られているかの情報は、ＥＤＬに定義されている。編集情報解析部２３０がこのＥＤＬを解析し、解析結果をもとに編集ＧＵＩ部２１０はタイムライン表示部３４０を生成する。
【００４０】
タイムライン表示部３４０において、時間軸３４１は仮想的な時間軸を示している。この時間軸３４１上において、タイムライン３４３により、素材コンテンツＡは１０時００分００秒から１０時１１分００秒まで使われており、また、タイムライン３４４により、素材コンテンツＢは１０時１０分００秒から１０時２０分００秒まで使われていることを示している。タイムラインバー３４２は、現時点で映像表示部３１０に映像が表示されている時刻を示している。図３の例では、１０時１０分３０秒付近の映像が映像表示部３１０に表示されている。
【００４１】
図３の例におけるタイムライン表示部３４０では、タイムラインバー３４２で示される時刻において、タイムライン３４３とタイムライン３４４が重なっていることから、素材コンテンツＡと素材コンテンツＢとが編集作業により組み合わされていることを示している。その際、映像表示部３１０では、素材コンテンツＡの要素と素材コンテンツＢの要素の両方が表示される。ＥＤＬの情報により、映像のどの部分が素材コンテンツＡを用い、どの部分が素材コンテンツＢを用いているかが判別できる。例えば、映像表示部３１０内の枠３１１は、素材コンテンツＡを用いている領域を示している。なお、ＥＤＬを解析する技術は、映像の編集機などで一般的に使われている技術である。
【００４２】
メタデータ入力部３５０は、完成コンテンツおよび素材コンテンツのメタデータを入力する部分である。時間区間３５４は、上部のタイムライン表示部３４０に対応する、短い時間区間単位を示しており、この単位でメタデータを入力することができることを示している。各時間区間３５４は、コンテンツのメタデータを入力するための入力アイコンを有しており、入力アイコン３５１、３５２、３５３はそれぞれ、完成コンテンツＣ、素材コンテンツＡ、素材コンテンツＢのメタデータの入力アイコンであることを示している。
【００４３】
入力アイコン３５５は、マウスなどによりフォーカスされていることを示している。この入力アイコン３５５をダブルクリックすることにより、後述するメタデータ入力ウィンドウ４００がポップアップし、対応するコンテンツのメタデータをテキストで入力することができる。
【００４４】
入力アイコン３５５のフォーカスと枠３１１は連動している。すなわち、入力アイコン３５５は、対象の時間区間と素材コンテンツの特定をしている。枠３１１は、対象の時間区間の中で、完成コンテンツにおいて対象の素材コンテンツ（図３の例では素材コンテンツＡ）が使われている領域を枠線として表している。フォーカスを素材コンテンツＢの入力アイコン３５３に移動すると、映像表示部３１０では別の領域（素材コンテンツＢが使われている領域）が枠線で囲まれることになる。なお、完成コンテンツＣの入力アイコン３５１をフォーカスしているときは、映像表示部３１０の中に枠線は表示されない。
【００４５】
図４は、メタデータ入力ウィンドウ４００の画面構成例を示した図である。メタデータ入力ウィンドウ４００は、図３の編集ＧＵＩ部２１０の任意の入力アイコン３５５をダブルクリックしたときにポップアップされる。行４１０は、既に入力済みのデータであり、メタデータ４１１、確度４１２、作業者４１３、入力日時４１４の各データが表示されている。
【００４６】
メニュー表示部４３０は、メタデータの入力に関する操作を行うための各種ボタンが配置されている領域である。追加ボタン４３１は、新規の入力行を追加するボタンである。コピーボタン４３２は、メタデータ４１１のテキストをコピーするボタンである。貼り付けボタン４３３は、コピーボタン４３２によりコピーしたメタデータ４１１のテキストを別の行のメタデータ４１１に貼り付けるボタンである。これにより、追加ボタン４３１により新規の入力行４２０を追加し、コピーボタン４３２により既存の行のメタデータ４１１をコピーして、貼り付けボタン４１１により、追加した新規の入力行４２０のメタデータ４１１に貼り付けてテキストを入力することができる。
【００４７】
上述した図３の編集ＧＵＩ部２１０と図４のメタデータ入力ウィンドウ４００を用いて、作業者はコンテンツに対するメタデータの入力を行うことができる。その処理の流れは以下の通りである。最初に、映像表示部３１０に完成コンテンツを表示し、タイムライン表示部３４０に、完成コンテンツを構成する素材コンテンツの構成を表示する。タイムラインバー３４２を動かし、タイムラインバー３４２が示す時刻における映像を確認しながら、入力アイコン３５５をダブルクリックして、メタデータ入力ウィンドウ４００を開き、メタデータを入力する。
【００４８】
作業者によるメタデータの入力の手順は、映像の内容や、既に入力されているメタデータの状況によって異なってくる。以下、本実施の形態のメタデータ編集システムにおいて特徴的なケースについて、入力の手順を説明する。
【００４９】
図５は、ＥＤＬの情報を利用して自動的に素材コンテンツのメタデータを生成する例を示した図である。図５では、１０時１０分３０秒付近のコンテンツのメタデータの入力を行う場合を例として挙げる。作業者は映像表示部３１０によって完成コンテンツＣの映像を見ており、入力アイコン５０１をダブルクリックして完成コンテンツＣのメタデータの入力を実施する。
【００５０】
図５において、メタデータ５１１〜５１３およびメタデータ５２１〜５２３は、説明の便宜のため、メタデータ管理サーバ１００のメタデータＤＢ部１３０における、完成コンテンツＣ、素材コンテンツＡ、素材コンテンツＢについてのレコードの内容を簡略化してそれぞれ表現しているものとする。
【００５１】
メタデータ５１１は、完成コンテンツＣのメタデータとして「俳優１」が入力されたことを意味する。ここで、編集ＧＵＩ部２１０は、編集情報解析部２３０によるＥＤＬの解析結果から、この時間区間の完成コンテンツＣが素材コンテンツＡと素材コンテンツＢとから、面積比にして例えば６：４の割合で使われていることが分かったとする。この情報をもとに、編集ＧＵＩ部２１０は、完成コンテンツＣにおける素材コンテンツＡおよび素材コンテンツＢの占有率をそれぞれ６０％、４０％とし、メタデータ５１１〜５１３に対して以下の自動変換を行ってメタデータ５２１〜メタデータ５２３とする。
【００５２】
すなわち、素材コンテンツＡのメタデータ５２２として「俳優１」、その確度を６０％とし、素材コンテンツＢのメタデータ５２３として「俳優１」、その確度を４０％とする。この結果を、メタデータ管理サーバ１００に登録する。
【００５３】
なお、本実施の形態では、素材コンテンツの占有率を完成コンテンツに占める各素材コンテンツの面積比を用いて決定しているが、これに限られるものではなく、その他の指標を用いて占有率を決定することもできる。
【００５４】
以上の方法により、ＥＤＬの情報を用いて自動的に素材コンテンツにもメタデータを付与することができ、これにより、以降では、この素材コンテンツが再利用された完成コンテンツにおけるメタデータ付与の際に、このメタデータを利用することが可能となる。さらに、素材コンテンツを検索する際にも、確度は１００％ではないもののメタデータを利用したキーワード検索が可能となる。
【００５５】
図６は、ＥＤＬの情報を利用することで素材コンテンツのメタデータが特定できる例を示した図である。図６では、１０時０５分００秒付近のコンテンツのメタデータの入力を行う場合を例として挙げる。作業者は基本的に完成コンテンツＣのメタデータを入力するので、入力アイコン６０１をダブルクリックして完成コンテンツＣのメタデータの入力を実施する。
【００５６】
図６において、メタデータ６１１、６１２およびメタデータ６２１、６２２は、前述の図５の場合と同様に、メタデータ管理サーバ１００のメタデータＤＢ部１３０における、完成コンテンツＣ、素材コンテンツＡについてのレコードの内容を簡略化してそれぞれ表現しているものとする。メタデータ６１１は、完成コンテンツＣのメタデータとして「俳優１」が入力されたことを意味する。ここで、編集ＧＵＩ部２１０は、編集情報解析部２３０によるＥＤＬの解析結果から、この時間区間の完成コンテンツＣが素材コンテンツＡのみからなっていることが分かる。
【００５７】
この情報をもとに、編集ＧＵＩ部２１０は、完成コンテンツＣのメタデータ６１１の「俳優１」というデータは、素材コンテンツＡのメタデータであると判断して、素材コンテンツＡのメタデータ６２２に「俳優１」をコピーすると同時にその確度を１００％とする。以上の方法により、自動的に素材コンテンツのメタデータを特定して付与し、その確度を１００％とすることができる。
【００５８】
図７は、既にメタデータが入力されている素材コンテンツを利用して完成コンテンツのメタデータを入力する手順と、素材コンテンツのメタデータの確度を高める例を示した図である。図７では、１０時１０分３０秒付近のコンテンツのメタデータを入力する場合を例として挙げる。
【００５９】
図７において、メタデータ７１１〜７１３およびメタデータ７２１〜７２３は、前述の図５の場合と同様に、メタデータ管理サーバ１００のメタデータＤＢ部１３０における、完成コンテンツＣ、素材コンテンツＡ、素材コンテンツＢについてのレコードの内容を簡略化してそれぞれ表現しているものとする。
【００６０】
編集ＧＵＩ部２１０では、完成コンテンツのメタデータの入力方法として転記機能を有し、素材コンテンツに既にメタデータが入力されている場合、その内容をいわゆるコピーアンドペーストすることにより、完成コンテンツのメタデータとして入力することが可能である。ここでは、作業者が素材コンテンツＡのメタデータを確認したところ内容が既に記載されており、かつ、表示している映像の内容と合致していることを確認したものとする。この場合、作業者は、素材コンテンツＡのメタデータ７１２を完成コンテンツＣのメタデータ７１１にコピーアンドペーストすることで、完成コンテンツＣのメタデータを入力することができる。
【００６１】
入力直後のメタデータＤＢ部１３０のレコードの内容は、完成コンテンツＣのメタデータ７１１の内容が、素材コンテンツＡのメタデータ７１２をコピーアンドペーストすることによって追加で入力されたのみである。編集ＧＵＩ部２１０は、確度が６０％しかなかった素材コンテンツＡのメタデータ７１２の内容が完成コンテンツＣのメタデータ７１１として採用されたという事実をもとに、このメタデータは映像表示部３１０に表示されている映像の内容と一致していると判断する。
【００６２】
この情報をもとに、編集ＧＵＩ部２１０は、メタデータ７１２に対して自動変換により確度を１００％に上げてメタデータ７２２とする。このとき、本実施の形態では、素材コンテンツＢのメタデータ７２３の確度を４０％のままとしているが、自動変換により、例えばメタデータ７２３の確度を０％にしても良い。
【００６３】
なお、素材コンテンツＡのメタデータ７１２の内容が完成コンテンツＣのメタデータ７１１として採用されたという事実を編集ＧＵＩ部２１０が判断するためには、例えば、上述のように、メタデータ７１２の内容を編集ＧＵＩ部２１０での操作によりコピーアンドペースとしたということをもとに判断しても良いし、メタデータ７１２の内容をメタデータ７１１に反映させるような特定のボタンやメニュー等を用意し、これらによる操作により内容を反映したということをもとに判断しても良い。
【００６４】
以上の方法により、作業者は、完成コンテンツのメタデータを入力するために素材コンテンツのメタデータを利用することができ、コピーアンドペーストという簡易な手法で入力することができる。また、素材コンテンツのメタデータの確度を自動的に１００％に確定することができる。
【００６５】
図８は、完成コンテンツのある時間区間のメタデータを利用して別の時間区間のメタデータを入力する手順と、素材コンテンツのメタデータの確度を高める例を示した図である。図８では、１０時０５分００秒付近のコンテンツのメタデータを入力する場合を例として挙げる。
【００６６】
図８において、メタデータ８１１〜８１３、メタデータ８１４、８１５、およびメタデータ８２１〜８２３、メタデータ８２４、８２５は、前述の図５の場合と同様に、メタデータ管理サーバ１００のメタデータＤＢ部１３０における、完成コンテンツＣ、素材コンテンツＡ、素材コンテンツＢについてのレコードの内容を簡略化してそれぞれ表現しているものとする。
【００６７】
事前に、１０時１０分３０秒付近の完成コンテンツＣのメタデータ８１１として「俳優１」が入力されたとする。このとき、前述の図５の場合と同様に、完成コンテンツＣのメタデータ８１１を入力した結果、素材コンテンツＡのメタデータ８１２として「俳優１」が確度６０％で自動的に登録され、素材コンテンツＢのメタデータ８１３として「俳優１」が確度４０％で自動的に登録された状態となる。
【００６８】
この後、作業者は、１０時０５分００秒付近の完成コンテンツＣのメタデータ８１４を入力する際に、１０時１０分３０秒の完成コンテンツＣメタデータ８１１を編集ＧＵＩ部２１０の転記機能によりコピーアンドペーストして入力したものとする。編集ＧＵＩ部２１０は、この情報をもとに以下のような処理を実施する。
【００６９】
編集情報解析部２３０によるＥＤＬの解析結果から、１０時０５分００秒付近では、完成コンテンツＣが素材コンテンツＡのみからなっていることが分かる。そこに、１０時０５分００秒における完成コンテンツＣのメタデータ８１４として、１０時１０分３０秒の完成コンテンツＣのメタデータ８１１である「俳優１」が採用されたことから、前述の図６の場合と同様に、１０時０５分００秒における素材コンテンツＡのメタデータ８１５は「俳優１」であることが分かる。従って、前述の図６の場合と同様に、１０時０５分００秒における素材コンテンツＡのメタデータ８２５として「俳優１」が確度１００％で自動的に登録される。
【００７０】
また、１０時１０分３０秒の完成コンテンツＣを構成するメタデータである素材コンテンツＡ、素材コンテンツＢと、１０時０５分００秒の完成コンテンツＣを構成するメタデータである素材コンテンツＡとで、重複する素材コンテンツは素材コンテンツＡのみであることから、１０時１０分３０秒の完成コンテンツＣのメタデータ８１１の「俳優１」というデータは、素材コンテンツＡの表示内容から付与されたものであることが分かる。従って、１０時１０分３０秒における素材コンテンツＡのメタデータ８２２の確度を自動的に１００％に確定する。
【００７１】
なお、図８の例では、１０時０５分００秒付近では、完成コンテンツＣが素材コンテンツＡのみからなっている場合であったが、例えば、１０時０５分００秒付近で完成コンテンツＣが素材コンテンツＡと素材コンテンツＤからなっていたような場合であっても、２つの時間区間において重複する素材コンテンツが素材コンテンツＡのみであるため、素材コンテンツＡのメタデータ８２３、および８２５として「俳優１」というデータの確度を自動的に１００％として確定することができる。
【００７２】
また、図７の場合と同様に、１０時１０分３０秒の完成コンテンツＣのメタデータ８１１の内容が１０時０５分００秒の完成コンテンツＣのメタデータ８１４として採用されたという事実を編集ＧＵＩ部２１０が判断するためには、例えば、上述のように、メタデータ８１１の内容を編集ＧＵＩ部２１０での操作によりコピーアンドペースとしたということをもとに判断しても良いし、メタデータ８１１の内容をメタデータ８１４に反映させるような特定のボタンやメニュー等を用意し、これらによる操作により内容を反映したということをもとに判断しても良い。
【００７３】
以上の方法により、作業者は、ある時間区間の完成コンテンツのメタデータを入力するために別の時間区間の完成コンテンツのメタデータを利用することができ、コピーアンドペーストという簡易な手法で入力することができる。また、メタデータを入力した完成コンテンツを構成する素材コンテンツが１つのみであった場合、もしくは、両時間区間において重複する素材コンテンツが１つのみであった場合には、その素材コンテンツのメタデータの確度を両時間区間において自動的に１００％に確定することができる。
【００７４】
以上に説明したように、本実施の形態のメタデータ編集システムでは、作成された完成コンテンツに対して作業者がメタデータを入力することができる。このとき、完成コンテンツを構成する素材コンテンツにメタデータを付与する作業を行わなくても、完成コンテンツに付与されたメタデータをもとにして自動的に素材コンテンツのメタデータを生成することができる。
【００７５】
このように、素材コンテンツにメタデータを付与することができるため、素材コンテンツを編集の材料として完成コンテンツを作る際に、膨大な素材コンテンツから再利用するのに最適なものを取り出す際に、メタデータを利用したキーワード検索を利用することが可能となる。これにより、最適な素材コンテンツが選択でき、探す時間も短くできるので、コンテンツの編集作業の効率を上げることができる。
【００７６】
また、メタデータが付与された素材コンテンツをもとに完成コンテンツを作成した場合、そのＥＤＬを解析することにより、素材コンテンツのどの部分が完成コンテンツに使用されているかが分かるため、素材コンテンツのメタデータを完成コンテンツのメタデータとして自動的に付与することも可能となる。これにより、完成コンテンツにメタデータを付与する手間を省くことができ、さらに作業効率を上げることができる。
【００７７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００７８】
例えば、前述の図１では、本実施の形態のメタデータ編集システムは、メタデータ管理サーバ１００とメタデータ編集端末２００とがネットワーク３００に接続する構成としているが、このような構成に限られず、例えば、メタデータ管理サーバ１００とメタデータ編集端末２００とが１台のコンピュータに実装されるような構成であっても良い。
【００７９】
また、本実施の形態のメタデータ編集システムでは、メタデータ管理サーバ１００はメタデータを管理するデータベースとしてメタデータＤＢ部１３０を有し、メタデータの編集を行う機能は、メタデータ編集端末２００上で稼動するソフトウェアにより実現しているが、このような構成に限られず、例えば、メタデータ管理サーバ１００上にＷｅｂサーバの機能を実装し、メタデータの編集を行うソフトウェアをＷｅｂサーバ上でＷｅｂアプリケーションとして稼動させ、メタデータ編集端末２００でのユーザインタフェースにはＷｅｂブラウザを用いるような構成とすることも可能である。
【産業上の利用可能性】
【００８０】
本発明は、コンテンツのメタデータを編集するメタデータ編集システムおよびメタデータ編集プログラムならびにメタデータ編集方法に利用可能である。
【図面の簡単な説明】
【００８１】
【図１】本発明の実施の形態であるメタデータ編集システムの構成例を示した図である。
【図２】本発明の実施の形態における、メタデータＤＢ部のデータ構造とデータの例を示した図である。
【図３】本発明の実施の形態における、編集ＧＵＩ部の画面構成例を示した図である。
【図４】本発明の実施の形態における、メタデータ入力ウィンドウの画面構成例を示した図である。
【図５】本発明の実施の形態における、自動的に素材コンテンツのメタデータを生成する例を示した図である。
【図６】本発明の実施の形態における、ＥＤＬの情報を利用することで素材コンテンツのメタデータが特定できる例を示した図である。
【図７】本発明の実施の形態における、既にメタデータが入力されている素材コンテンツを利用して完成コンテンツのメタデータを入力する手順と、素材コンテンツのメタデータの確度を高める例を示した図である。
【図８】本発明の実施の形態における、完成コンテンツのある時間区間のメタデータを利用して別の時間区間のメタデータを入力する手順と、素材コンテンツのメタデータの確度を高める例を示した図である。
【符号の説明】
【００８２】
１００…メタデータ管理サーバ、１１０…メタデータ更新部、１２０…メタデータ検索部、１３０…メタデータＤＢ部、２００…メタデータ編集端末、２１０…編集ＧＵＩ部、２２０…コンテンツ再生部、２３０…編集情報解析部、２４０…メタデータ取得依頼部、２５０…メタデータ登録依頼部、２６０…ストレージ部、３００…ネットワーク、
３１０…映像表示部、３１１…枠、３２０…再生ボタン、３３０…停止ボタン、３４０…タイムライン表示部、３４１…時間軸、３４２…タイムラインバー、３４３〜３４４…タイムライン、３５０…メタデータ入力部、３５１〜３５３…入力アイコン、３５４…時間区間、３５５…入力アイコン、
４００…メタデータ入力ウィンドウ、４１０…行、４１１…説明情報、４１２…確度、４１３…作業者、４１４…入力日時、４２０…入力行、４３０…メニュー表示部、４３１…追加ボタン、４３２…コピーボタン、４３３…貼り付けボタン、
５０１〜５０３…入力アイコン、５１１〜５１３…メタデータ、５２１〜５２３…メタデータ、
６０１〜６０２…入力アイコン、６１１〜６１２…メタデータ、６２１〜６２２…メタデータ、
７０１〜７０３…入力アイコン、７１１〜７１３…メタデータ、７２１〜７２３…メタデータ、
８０１〜８０５…入力アイコン、８１１〜８１５…メタデータ、８２１〜８２５…メタデータ。
【図１】
0005075723.tif 000002
【図２】
0005075723.tif 000003
【図３】
0005075723.tif 000004
【図４】
0005075723.tif 000005
【図５】
0005075723.tif 000006
【図６】
0005075723.tif 000007
【図７】
0005075723.tif 000008
【図８】
0005075723.tif 000009